(57)【要約】【課題】安価な構成で、メインテナンス性、耐久性にすぐれたフィルター体を提供する。【解決手段】プリーツ状に折り曲げ形成された濾材１３ｂの塵埃捕集側の谷底部に樹脂部１４を設け、かつ、前記樹脂部１４に、プリーツの長手方向に沿って溝部１４ａを形成したもので、フィルター体１３で捕集された塵埃を先端部の尖った棒状体（図示せず）を用いて除去する際、棒状体の先端部を溝部１４ａに落とし込んだ状態でプリーツの長手方向に移動させることができるため、棒状体の先端部で誤って濾材１３ｂ部分を傷つけたり、孔を開けてしまうといった失敗によるフィルター体１３の損傷を防止することができる。【選択図】図３
2008011892.tif 000002
【特許請求の範囲】
【請求項１】
プリーツ状に折り曲げ形成された濾材の塵埃捕集側の谷底部に樹脂部を設け、かつ、前記樹脂部に、プリーツの長手方向に沿って溝部を形成したフィルター体。
【請求項２】
溝部の底面に少なくとも１箇の凸部を設けた請求項１に記載のフィルター体。
【請求項３】
溝部の底面に少なくとも１箇の凹部を設けた請求項１又は２に記載のフィルター体。
【請求項４】
溝部の側面に少なくとも１箇の凸部を設けた請求項１〜３のいずれか１項に記載のフィルター体。
【請求項５】
プリーツ状に折り曲げ形成された濾材の頂点側に、前記頂点よりも突出した突起部を設けた請求項１〜４のいずれか１項に記載のフィルター体。
【請求項６】
電動送風機を備え、前記電動送風機の上流側に請求項１〜５のいずれか１項に記載のフィルター体を配設した電気掃除機。
【発明の詳細な説明】
【技術分野】
【０００１】
本発明は、プリーツ状に形成され塵埃を捕集するフィルター体及びそれを用いた電気掃除機に関するものである。
【背景技術】
【０００２】
従来のこの種のフィルター体、およびこれを用いた電気掃除機について図９を用いて説明する。図９は従来のフィルター体を有する電気掃除機の本体部分の斜視図である。
【０００３】
図９において、掃除機本体１０１は、ケース１０２とカバー部材１０３とから構成されている。ケース１０２には、集塵容器１０９を載置する載置部（図示せず）が形成されている。集塵容器１０９の容器本体１１８の底部近傍には、開閉可能な蓋（図示せず）と、これを閉状態に保持するクランプ機構（図示せず）が設けられている。容器本体１１８に取り付けられた取っ手部１２０の上部には、蓋解除ボタン１３４が設けられており、この蓋解除ボタン１３４を押すことでクランプ解除バー（図示せず）を介してクランプ機構が解除され、蓋が開放される。集塵容器１０９をケース１０２に載置した状態でカバー部材１０３を閉じると、蓋解除ボタン１３４はカバー部材１０３により覆われる（例えば、特許文献１参照）。
【０００４】
集塵容器１０９には、集塵容器１０９内部と連通する吸引口１２４と、フィルター体Ａ１２２が設けられている。１１１は、掃除機本体１０１内に内蔵された電動送風機（図示せず）と連通し、フィルター体Ａ１２２で捕集し切れなかった細塵を捕集するフィルター体Ｂである。
【０００５】
カバー部材１０３には、図示しないホースが接続されるホース接続口１０５と、ホース接続口１０５と連通すると共に、カバー部材１０３を閉じたときに吸引口１２４と連通する連通口Ａ１１４と、フィルター体Ａ１２２と連通する連通口Ｂ１１５と、連通口Ｂ１１５に連通すると共に、フィルター体Ｂ１１１にも連通する連通口Ｃ１１６が設けられている。
【０００６】
以上のように構成された従来の電気掃除機の動作は、以下の通りである。
【０００７】
図示しない延長管や床吸込具に接続されたホースをホース接続口１０５に接続し、掃除機本体１の運転を開始し、空気を吸い込みを始めると、ホース接続口１０５、連通口Ａ１１４、吸引口１２４を通って塵埃を含む空気が集塵容器１０９内に入り、フィルターＡ１２２で塵埃が捕集され、きれいになった空気は、連通口Ｂ１１５、連通口Ｃ１１６を通ってフィルター体Ｂ１１１に至り、そこでフィルター体Ａ１２２で捕獲し切れなかった細塵が捕集され、さらにきれいになった空気は、ケース１０２内を通って、図示しない排気口から排出される（例えば、特許文献１参照）。
【特許文献１】特開２００３−０１９０９５号公報
【発明の開示】
【発明が解決しようとする課題】
【０００８】
近年、上記フィルター体Ａ１２２やフィルター体Ｂ１１１を、圧力損失と捕集効率の仕様を高い次元で満足する濾材でプリーツ状に形成するケースが増えているが、同時に同フィルター体Ａ、Ｂのメインテナンス性が課題となっており、フィルター体に付着した塵埃を簡便に除去するための様々な手段が考案されている。しかしながら確実性の点において充分な物はなく最終的には尖った棒状のもので塵埃を掻き出したり、フィルター体を直接地面などの硬いものに叩き付けて衝撃を与えて塵埃を除去することも少なくなく、フィルター体を長期にわたって使用するためには、こういったメインテナンス作業時に、フィルター体に与えるダメージを極力抑えながら実施することが重要である。
【０００９】
本発明は上記従来の課題を解決するもので、フィルター体で捕集された塵埃の除去がより確実に行うことができると共に、耐久性、使用性に優れたフィルター体、および電気掃除機を提供する事を目的とする。
【課題を解決するための手段】
【００１０】
前記従来の課題を解決するために、本発明のフィルター体は、プリーツ状に折り曲げ形成された濾材の塵埃捕集側の谷底部に樹脂部を設け、かつ、前記樹脂部に、プリーツの長手方向に沿って溝部を形成したもので、フィルター体の濾材で捕集された塵埃を先端部の尖った棒状体を用いて除去する際、棒状体の先端部を溝部に落とし込んだ状態でプリーツの長手方向に移動させることができるため、棒状体の先端部で誤って濾材部分を傷つけたり、孔を開けてしまうといった失敗によるフィルター体の損傷を防止することができるので、メンテナンス性、耐久性、使用性に優れたものである。
【００１１】
また、本発明の電気掃除機は、電動送風機を備え、前記電動送風機の上流側に請求項１〜５のいずれか１項に記載のフィルター体を配設したもので、フィルター体が、メインテナンス性、使用性、耐久性に優れ、しかも確実に塵埃が除去されているので、集塵性能にすぐれ使用勝手の良い電気掃除機を提供することが出来る。
【発明の効果】
【００１２】
本発明のフィルター体は、メインテナンス性、使用性、耐久性に優れたものである。
【発明を実施するための最良の形態】
【００１３】
第１の発明は、プリーツ状に折り曲げ形成された濾材の塵埃捕集側の谷底部に樹脂部を設け、かつ、前記樹脂部に、プリーツの長手方向に沿って溝部を形成したもので、フィルター体の濾材で捕集された塵埃を先端部の尖った棒状体を用いて除去する際、棒状体の先端部を溝部に落とし込んだ状態でプリーツの長手方向に移動させることができるため、棒状体の先端部で誤って濾材部分を傷つけたり、孔を開けてしまうといった失敗によるフィルター体の損傷を防止することができるので、メンテナンス性、耐久性、使用性に優れたものである。
【００１４】
第２の発明は、特に、第１の発明の溝部の底面に少なくとも１箇の凸部を設けたもので、棒状体の先端が溝部内を移動中、凸部を乗り越えるたびにフィルター体に振動が加わるので、濾材表面、および内部に付着した塵埃が容易にふるい落とされる。
【００１５】
第３の発明は、特に、第１又は第２の溝部の底面に少なくとも１箇の凹部を設けたもので、棒状体の先端が溝部内を移動中、凹部に落ち込むたびにフィルター体に振動が加わるので、濾材表面、および内部に付着した塵埃が容易にふるい落とされる。
【００１６】
第４の発明は、特に、第１〜３のいずれか一つの発明の溝部の側面に少なくとも１箇の凸部を設けたもので、棒状体の先端が溝部内を移動中、凸部にぶつかるたびにフィルター体に振動が加わるので、濾材表面、および内部に付着した塵埃が容易にふるい落とされる。
【００１７】
第５の発明は、特に、第１〜４のいずれか一つの発明のプリーツ状に折り曲げ形成された濾材の頂点側に、前記頂点よりも突出した突起部を設けたもので、プリーツ内で圧縮されている塵埃をプリーツ外部に排出する作業を床面のような広い面にあてがいながら行っても、突起部により床面と各頂点との間に形成される空間により、塵埃が膨張するスペースが確保され、塵埃除去を容易に行うことができる。
【００１８】
第６の発明は、電動送風機を備え、前記電動送風機の上流側に請求項１〜５のいずれか１項に記載のフィルター体を配設したもので、フィルター体が、メインテナンス性、使用性、耐久性に優れ、しかも確実に塵埃が除去されているので、集塵性能にすぐれ使用勝手の良い電気掃除機を提供することが出来る。
【００１９】
以下、本発明の実施の形態について、図面を参照しながら説明する。なお、この実施の形態によって本発明が限定されるものではない。
【００２０】
（実施の形態１）
本発明の第１の実施の形態におけるフィルター体、および電気掃除機について、図１〜６を用いて説明する。
【００２１】
図１は、本実施の形態におけるフィルター体を有する電気掃除機の本体側面図、図２は、同電気掃除機の集塵容器載置部近傍の断面図、図３は、同フィルター体の断面図（図２のＡ−Ａ断面）、図４は、同フィルター体の要部拡大断面図（図３のＢ部）、図５は、同フィルター体の断面図（図４のＤ−Ｄ断面）、図６は、同フィルター体を床面上に置いたときの側面図である。
【００２２】
図１〜６において、１は、電気掃除機の本体である。本体１の内部には、塵埃を捕集する集塵容器４が着脱自在に収納される収納部２が設けられており、その上部が、カバー３によって開閉自在に覆われている。
【００２３】
集塵容器４の前部には、集塵容器４を本体１に取り付けた際に、本体１に設けられた吸気口１ａと連通する位置に開口部５が設けられている。集塵容器４の底部には、塵埃を廃棄するための開口４ａと、その開口４ａを開閉する蓋６が設けられており、蓋６の後部はヒンジ部６ａを介して集塵容器４に回動自在に取着され、前部に設けられたフック部６ｂが、集塵容器４側に回動自在に保持されたクランプ７によって係止、解除されることで蓋６を閉状態に保持、あるいは開状態とすることができるようになっている。
【００２４】
クランプ７は、開口部５の上部に設けた蓋解除ボタン８を押すことにより、リンク９を介して解除動作がなされるので、集塵容器４内に捕集した塵埃の排出は、蓋解除ボタン８を押すことで完了する。
【００２５】
また、クランプ７と蓋解除ボタン８は、それぞれバネＡ１１とバネＢ１０によって蓋６を閉状態に保持する向きに付勢されているので、蓋解除ボタン８を押さえるのを止めると、クランプ７は、自動的に蓋６を閉状態に保持する位置に戻り、蓋６を閉状態まで回動することで再び係止、保持されるようになっている。集塵容器４の天面には、蓋解除ボタン８の近傍から後方に向かって、集塵容器４の持ち運び用の取っ手部１２が延設されている。
【００２６】
図２において、集塵容器４は、本体１に収納された状態であり、使用者がこの集塵容器４内に捕集された塵埃を外部に排出するにあたっては、まず集塵容器４の上部に形成された取っ手部１２を保持し、上方へ引き抜き、然る後に取っ手部１２の近傍に設けられた蓋解除ボタン８を操作することで、蓋６が開放され、集塵容器４内部の塵埃を開口４ａを通して集塵容器４の外部に排出することができる。
【００２７】
また集塵容器４の後面には、フィルター体１３が着脱自在に取り付けられており、集塵容器４内を通過した空気は、すべてこのフィルター体１３を通過した後、本体１内に設けられたファンモーター（図示せず）に吸引される。
【００２８】
図３において、フィルター体１３は、樹脂製の枠体１３ａに濾材１３ｂをインサート成型することで形成されている。濾材１３ｂにはプリーツ状の折り曲げ加工が施されており、濾材１３ｂのプリーツの上流側（塵埃を捕集する側）の谷底部と頂点部のそれぞれに、枠体１３ａと一体に形成された樹脂部１４と突起部１５が設けられている。なお、突起部１５の先端は、枠体１３ａの先端より突出している。
【００２９】
図４、５において、樹脂部１４にはプリーツの長手方向に沿って溝部１４ａが設けられ、更にこの溝部１４ａの底面には複数の凸部１４ｂが設けられている。
【００３０】
以上のように構成されたフィルター体及び電気掃除機について、以下その動作、作用を説明する。
【００３１】
フィルター体１３のプリーツ内部に堆積した塵埃を取り除くに当たって、爪楊枝などの棒状体（図示せず）をプリーツ内部に挿入し、先端を樹脂部１４の溝部１４ａに沿わせて掻き下ろすことができるため、棒状体の先端で濾材１３ｂを損傷することがなく確実に塵埃除去作業を行うことができる。また、棒状体の先端が溝部１４ａ内を移動するのに伴って各凸部１４ｂに衝突するので、衝突の際に発生する衝撃によってフィルター体１３に付着した塵埃がふるい落とされる効果がある。
【００３２】
また、図６に示すようにフィルター体１３を、塵埃を捕集する側を床面に当ててプリーツ内の塵埃の除去を行うケースがあるが、この際、突起部１５が、床面とフィルター体１３のプリーツ頂点との間に空間を形成するため、電気掃除機の運転中の吸引力によって強固に圧縮された塵埃がプリーツ内部より膨張しながら出てくる際にも床面によって妨げられることが少なく、より確実に塵埃の除去が可能となる。
【００３３】
（実施の形態２）
図７は、本発明の第２の実施の形態におけるフィルター体の断面図（図４のＤ−Ｄ断面）である。なお、上記第１の実施の形態と同一部分については、同一符号を付してその説明を省略する。
【００３４】
本実施の形態は、図７に示すように、樹脂部１４に、プリーツの長手方向に沿って溝部１４ａを設けると共に、この溝部１４ａの底部に、複数の凹部１４ｃを設けたもので、フィルター体１３に堆積した塵埃を取り除くためにプリーツ内部に挿入した棒状体の先端が溝部１４ａ内を移動させると、それに伴って棒状体の先端が各凹部１４ｃに落ち込み、この際に発生する衝撃によってフィルター体１３に付着した塵埃がふるい落とされるものである。
【００３５】
（実施の形態３）
図８は、本発明の第３の実施の形態におけるフィルター体の矢視図（図３のＣ矢視図）である。なお、上記実施の形態と同一部分については、同一符号を付してその説明を省略する。
【００３６】
本実施の形態は、図８に示すように、樹脂部１４のプリーツの長手方向に沿って溝部１４ａを設けると共に、この溝部１４ａの側面に交互に複数の凸部１４ｄを設けたもので、フィルター体１３に堆積した塵埃を取り除くためにプリーツ内部に棒状体の先端を挿入して溝部１４ａ内を移動させると、それに伴って棒状体の側面が各凸部１４ｄに衝突するので、衝突の際に発生する衝撃によってフィルター体１３に付着した塵埃がふるい落とされる効果がある。
【００３７】
なお、上記実施の形態では、プリーツ底部の溝部１４ａは振動し易さの点も考慮して樹脂部１４に設けたが、その材料は金属など他の材料でも代替が可能であり、材料、構成を限定するものではない。
【００３８】
以上のように、本実施の形態によれば、フィルター体１３は、プリーツ状に形成された濾材１３ｂの上流側谷底部に樹脂部１４を設け、かつ、その樹脂部１４にプリーツの長手方向に沿った溝部１４ａを設けることにより、フィルター体１３に捕集した塵埃を先端部の尖った棒状体を用いて除去する際、棒状体の先端部を溝部１４ａに落とし込んだ状態でプリーツの長手方向に移動させることができるため、棒状体の先端部で誤って濾材１３ｂを傷つけたり、孔を開けてしまうといった失敗によるフィルター体１３の損傷を防止することができるため、メインテナンス性が高く、使用性と耐久性に優れたフィルター体を提供することができる。
【産業上の利用可能性】
【００３９】
以上のように、本発明にかかるフィルター体及び電気掃除機は、簡素な構造で、フィルター体を痛めることなく塵埃を除去でき、メインテナンス性、使用性、耐久性に優れているもので、家庭用、業務用、店舗用の各種電気掃除機は勿論、空気清浄機や集塵機などフィルター体を利用する各種機器に広く適用できるものである。
【図面の簡単な説明】
【００４０】
【図１】本発明の第１の実施の形態におけるフィルター体を有する電気掃除機の本体側面図
【図２】同電気掃除機の集塵容器載置部近傍の断面図
【図３】同フィルター体の断面図（図２のＡ−Ａ断面）
【図４】同フィルター体の要部拡大断面図（図３のＢ部）
【図５】同フィルター体の断面図（図４のＤ−Ｄ断面）
【図６】同フィルター体を床面上に置いたときの側面図
【図７】本発明の第２の実施の形態におけるフィルター体の断面図（図４のＤ−Ｄ断面）
【図８】本発明の第３の実施の形態におけるフィルター体の矢視図（図３のＣ矢視）
【図９】従来のフィルター体を有する電気掃除機の本体斜視図
【符号の説明】
【００４１】
１３    フィルター体
１３ｂ  濾材
１４    樹脂部
１４ａ  溝部
１４ｂ、１４ｄ  凸部
１５    突起部
【図１】
2008011892.tif 000003
【図２】
2008011892.tif 000004
【図３】
2008011892.tif 000005
【図４】
2008011892.tif 000006
【図５】
2008011892.tif 000007
【図６】
2008011892.tif 000008
【図７】
2008011892.tif 000009
【図８】
2008011892.tif 000010
【図９】
2008011892.tif 000011